(57)【特許請求の範囲】
【請求項１】
底壁及び該底壁から立設される側壁を有し該側壁により形成される開口から雪が投入される融雪槽と、該融雪槽の側壁に突設され該融雪槽内の雪に熱を伝達して雪を融解する熱伝達体と、該熱伝達体の内部に設けられ該熱伝達体を加熱するバーナとを備えた融雪装置において、
上記熱伝達体の外側に、該熱伝達体の突出方向に沿い該熱伝達体の外側を流下する融雪水を受けうる受け面を有した細長板状の放熱フィンを複数設け、
該放熱フィンの受け面上の融雪水が上記熱伝達体の突出方向の基端から先端に向けて流下するように該放熱フィンの受け面を傾斜させたことを特徴とする融雪装置。
【請求項２】
上記熱伝達体を、上記バーナの上側を覆う上側板体と、上記バーナの下側を覆う下側板体と、上記上側板体の上記熱伝達体の突出方向の先端側に下方に向けて延設される先端側板体とを備えて構成し、
上記上側板体を、上記融雪槽の開口から投入された雪を受けうる頂部受面及び該頂部受面の両側に下方に向けて拡開する側部受面を有した構成とし、
上記放熱フィンを上記上側板体の側部受面に上下に並設したことを特徴とする請求項１記載の融雪装置。
【請求項３】
上記頂部受面を、上記熱伝達体の突出方向の基端から先端に向けて降下するように傾斜形成したことを特徴とする請求項２記載の融雪装置。
【請求項４】
上記頂部受面を横断面が頂部で屈折した線状になるように形成したことを特徴とする請求項２または３記載の融雪装置。
【請求項５】
上記先端側板体を、上記熱伝達体の突出方向の基端から先端に向けて傾斜する先端側受面を有した構成とし、該先端側受面に、上記熱伝達体の外側を流下する融雪水を受けうる受け面を有した細長板状の先端側放熱フィンを設け、該先端側放熱フィンの受け面上の融雪水が流下するように該先端側放熱フィンの受け面を傾斜させたことを特徴とする請求項２，３または４記載の融雪装置。
【請求項６】
上記熱伝達体の突出方向側部と上記融雪槽の側壁との間に、雪を受ける雪受板を架設し、該雪受板を上記熱伝達体の突出方向の基端から先端に向けて傾斜させたことを特徴とする請求項１，２，３，４または５記載の融雪装置。
【請求項７】
上記熱伝達体の側部に、上記雪受板の下側面に向けて上記バーナからの排気を流出させる流出口を形成したことを特徴とする請求項６記載の融雪装置。
【請求項８】
上記雪受板に、上記流出口からの排気が通過する複数の通過口を形成したことを特徴とする請求項７記載の融雪装置。
【請求項９】
上記融雪槽の側壁であって、該融雪槽の底壁から所定高さ離れた位置に、上記融雪水を排出する排水口を設けたことを特徴とする請求項１，２，３，４，５，６，７または８記載の融雪装置。
【請求項１０】
上記融雪槽内に、上記排出口よりも下側に溜まった融雪水を吸引する水吸引ポンプを設け、
上記水吸引ポンプに、上記融雪槽内に投入された雪に向けて上記融雪水を放水する放水パイプを接続したことを特徴とする請求項９記載の融雪装置。
【請求項１１】
上記融雪槽内に、上記排出口よりも下側に溜まった融雪水を吸引する水吸引ポンプを設け、
上記水吸引ポンプに、上記融雪槽内の融雪水中に該水吸引ポンプから吸引した融雪水を放出して該融雪槽内の融雪水を攪拌せしめる攪拌パイプを接続したことを特徴とする請求項９または１０記載の融雪装置。
【請求項１２】
上記水吸引ポンプを覆う隔壁を設け、該隔壁の上記融雪槽の底壁から所定高さ離れた位置に上記融雪水が通る連通孔を設けたことを特徴とする請求項１０または１１記載の融雪装置。
【請求項１３】
一端が上記熱伝達体に接合され他端側が上記隔壁の内側に至るとともに上記熱伝達体の表面を流下する水を上記隔壁内に導く樋を設けたことを特徴とする請求項１２記載の融雪装置。
【請求項１４】
上記熱伝達体の下側に、上記融雪槽の底部に溜まった水に上記熱伝達体の熱を伝達する放熱板を設けたことを特徴とする請求項１，２，３，４，５，６，７，８，９，１０，１１，１２または１３記載の融雪装置。
【請求項１５】
上記熱伝達体に上記バーナからの排気が排気される多数の排気口を設け、該排気口を、上記放熱フィンの直下に設けたことを特徴とする請求項１，２，３，４，５，６，７，８，９，１０，１１，１２，１３または１４記載の融雪装置。
【発明の詳細な説明】
【技術分野】
【０００１】
本発明は、道路等に積もった雪が投入され、投入された雪を加熱して融解する融雪装置に関する。
【背景技術】
【０００２】
従来、この種の融雪装置としては、例えば、特許文献１（特許第３０５１９５７号公報）に記載されたものが知られている。
【０００３】
図７に示すように、この融雪装置Ｓａは、底壁２及び底壁２から立設される側壁３を有し側壁３により形成される開口から雪が投入される融雪槽１と、融雪槽１の側壁３に突設され融雪槽１内の雪に熱を伝達して雪を融解する筒状の熱伝達体４と、熱伝達体４の内部に設けられ熱伝達体４を加熱するバーナ５とを備えている。符号４ａは、熱伝達体４の先端から左右に分岐した分岐熱伝達体である。そして、融雪槽１の底部に設けた排水口６から融雪水を排出させるようにしている。
熱伝達体４及び熱伝達体４ａは、その表面に熱伝達体４の突出方向に沿う凸条７があり、バーナ５からの熱を放熱できるようになっている。また、熱伝達体４の下側には、その表面に熱伝達体４の突出方向に沿って設けられ、融雪水を受けて熱伝達体４の熱を熱伝達し、熱伝達体４自体の変形を防止する水受け補助板８が設けられている。
【０００４】
この融雪装置Ｓａを用いるときは、バーナ５に点火して作動させて熱伝達体４を加熱するとともに、融雪槽１内に雪を投入していく。この際、融雪槽１内に投入された雪が熱伝達体４に触れると、バーナ５からの熱が熱伝達体４により雪に伝達されて雪がこの熱により融解していく。
そして、融雪水は、排水口６から排水されていく。
【０００５】
【特許文献１】特許第３０５１９５７号公報
【発明の開示】
【発明が解決しようとする課題】
【０００６】
ところで、このような融雪装置Ｓａにあっては、凸条７や水受け補助板８があり、表面積が大きくなっているが、これらは、単に熱伝達体４から突出しているだけなので、融雪水が熱伝達体４の表面に留まりやすくなり、留まった融雪水が更に加熱され、気化しやすくなってしまう。そのため、融雪水の気化のための潜熱によりバーナ５からの熱が奪われ易くなることから、気化させずに水にして排出する場合に比較して、雪の融解効率が低減してしまうという問題があった。
【０００７】
本発明は上記の問題点に鑑みて為されたもので、熱伝達体の表面積を大きくして放熱効率を向上させるとともに、融雪水が熱伝達体の表面に留まりにくくして流下し易くし、融雪水の気化による潜熱を奪われにくくし、雪の融解効率を向上させた融雪装置を提供することを目的とする。
【課題を解決するための手段】
【０００８】
このような目的を達成するための本発明の融雪装置は、底壁及び該底壁から立設される側壁を有し該側壁により形成される開口から雪が投入される融雪槽と、該融雪槽の側壁に突設され該融雪槽内の雪に熱を伝達して雪を融解する熱伝達体と、該熱伝達体の内部に設けられ該熱伝達体を加熱するバーナとを備えた融雪装置において、上記熱伝達体の外側に、該熱伝達体の突出方向に沿い該熱伝達体の外側を流下する融雪水を受けうる受け面を有した細長板状の放熱フィンを複数設け、該放熱フィンの受け面上の融雪水が上記熱伝達体の突出方向の基端から先端に向けて流下するように該放熱フィンの受け面を傾斜させた構成としている。
【０００９】
この融雪装置を用いて、道路等に積もった雪を融解するには、バーナに点火し、熱伝達体を加熱していく。
そして、融雪槽内に雪を投入していく。融雪槽内においては、バーナからの熱が熱伝達体を介し、融雪槽内の雪に伝達させられる。この際、熱伝達体の外側に放熱フィンが設けられているので、熱伝達体の表面積が大きくなり、雪への熱伝達効率の向上を図ることができる。
【００１０】
このバーナからの熱により、雪が融解して融雪水となると、融雪水は放熱フィンの受け面で受けられる。
この際、放熱フィンの受け面は傾斜させられているので、放熱フィンの受け面上の融雪水は、この受け面上を流れ熱伝達体から流れ落ちていく。
これにより、受け面上に留まらないで受け面上を流れることにより、融雪水が気化する前に熱伝達体から融雪水が離れやすくなるので、融雪水が気化する際にバーナから伝達された潜熱が奪われにくくなり、雪の融解効率を向上させることができる。更に、この融雪水が流下する際、融雪槽内の雪と接触するので、融雪水と融雪槽内の雪とが熱交換させられて雪が融解させられる。これによっても、雪の融解効率が高くなる。
そして、融雪槽内の融雪水は、融雪槽の外部に排出口を介し、あるいは、ポンプ等により適宜排水される。
【００１１】
また、必要に応じ、上記熱伝達体を、上記バーナの上側を覆う上側板体と、上記バーナの下側を覆う下側板体と、上記上側板体の上記熱伝達体の突出方向の先端側に下方に向けて延設される先端側板体とを備えて構成し、上記上側板体を、上記融雪槽の開口から投入された雪を受けうる頂部受面及び該頂部受面の両側に下方に向けて拡開する側部受面を有した構成とし、上記放熱フィンを上記上側板体の側部受面に上下に並設した構成としている。
この場合、融雪槽内に雪が投入されて、雪が上側板体の頂部受面及び側部受面に載せられると、側部受面上においては、側部受面が下方にむけて拡開するように設けられているので、雪を留めながら熱伝達体及び放熱フィンで融解させることができる。
また、放熱フィンは、上下に並設されているので、熱伝達体の側部受面上の雪に均一に熱を伝達できるようになり、雪の融解効率を向上させることができる。
【００１２】
更に、必要に応じ、上記頂部受面を、上記熱伝達体の突出方向の基端から先端に向けて降下するように傾斜形成している。
これにより、熱伝達体に接した雪が融解して融雪水となると、融雪水は、傾斜している頂部受面上を流れ易くなる。そのため、融雪水は、頂部受面上に留まらないで流れて、気化する前に熱伝達体から離れやすくなるので、融雪水が気化する際にバーナから伝達された潜熱が奪われにくくなり、雪の融解効率を向上させることができる。
【００１３】
また、必要に応じ、上記頂部受面を横断面が頂部で屈折した線状になるように形成している。
これにより、頂部受面は横断面が頂部で屈折した線状になるように形成されているので、頂部受面に接する雪が融解してなる融雪水は、頂部受面上左右にも流れ易くなる。そのため、融雪水が気化する前に熱伝達体から融雪水が離れやすくなるので、融雪水が気化する際にバーナから伝達された潜熱が奪われにくくなり、雪の融解効率を向上させることができる。
【００１４】
更に、必要に応じ、上記先端側板体を、上記熱伝達体の突出方向の基端から先端に向けて傾斜する先端側受面を有した構成とし、該先端側受面に、上記熱伝達体の外側を流下する融雪水を受けうる受け面を有した細長板状の先端側放熱フィンを設け、該先端側放熱フィンの受け面上の融雪水が流下するように該先端側放熱フィンの受け面を傾斜させている。
これにより、融雪槽内に雪が投入されると、先端側放熱フィンが設けられているので、先端側受面側の雪に対しても熱伝達効率の向上を図ることができる。また、先端側放熱フィンの受け面が傾斜しているので、放熱フィンの受け面上の融雪水は、この受け面上を流れて熱伝達体から流下していく。これにより、先端側放熱フィンにおいても、受け面上に留まらないで受け面上を流れて、融雪水が気化する前に熱伝達体から融雪水が離れやすくなるので、融雪水が気化する際にバーナから伝達された熱が潜熱として奪われにくくなり、雪の融解効率を向上させることができる。
【００１５】
更にまた、必要に応じ、上記熱伝達体の突出方向側部と上記融雪槽の側壁との間に、雪を受ける雪受板を架設し、該雪受板を上記熱伝達体の突出方向の基端から先端に向けて傾斜させた構成としている。
これにより、雪受板は、熱伝達体からの熱が伝達され加温される。そして、熱伝達体から落下した雪や、融雪槽の開口から投入された雪の一部が雪受板に受けられ、この雪受板によっても、雪は融解されていく。
この場合、雪受板は、熱伝達体の突出方向の基端から先端に向けて傾斜しているので、融雪水は、雪受板上を流れて、気化する前に雪受板から融雪水が離れやすくなるので、融雪水が気化する際にバーナから伝達された潜熱が奪われにくくなり、雪の融解効率を向上させることができる。更に、上記熱伝達体の突出方向側部と上記融雪槽の側壁との間に雪を受ける雪受板を架設したことにより、これが熱放出防止と雪の融解効率化として作用することができる。
【００１６】
また、必要に応じ、上記熱伝達体の側部に、上記雪受板の下側面に向けて上記バーナからの排気を流出させる流出口を形成した構成としている。これにより、雪受板には、流出口からの排気が吹きかけられることによりバーナからの排気によっても雪受板が加温される。そのため、雪の融解効率を向上させることができる。
更にまた、上記雪受板に、上記流出口からの排気が通過する複数の通過口を形成している。これにより、雪受板に開けられた通過口から排気が吹き出し、暖かい排気が雪に吹きかけられ、この排気によって雪受板上の雪が加温される。そのため、雪の融解効率を向上させることができる。
【００１７】
次にまた、必要に応じ、上記融雪槽の側壁であって、該融雪槽の底壁から所定高さ離れた位置に、上記融雪水を排出する排水口を設けている。
これにより、融雪槽内の底部の水が、一定量以上溜まると、自然に排水口から流すことができる。また、融雪槽内の底部に溜まった水には、熱伝達体である程度温められた融雪水が流れこむので、融雪槽内の融雪水が加温させられる。この融雪槽内の底部に溜まった融雪水に、熱伝達体から落下した雪が浸かると、雪と融雪水との熱交換が行なわれるので、雪を融解させることができる。
【００１８】
また、必要に応じ、上記融雪槽内に、上記排出口よりも下側に溜まった融雪水を吸引する水吸引ポンプを設け、上記水吸引ポンプに、上記融雪槽内に投入された雪に向けて上記融雪水を放水する放水パイプを接続している。
これにより、放水パイプから放水された融雪水によっても、雪が融解していくので、融雪槽内に入れられた雪の融解効率を向上させることができる。
【００１９】
更に、必要に応じ、上記融雪槽内に、上記排出口よりも下側に溜まった融雪水を吸引する水吸引ポンプを設け、上記水吸引ポンプに、上記融雪槽内の融雪水中に該水吸引ポンプから吸引した融雪水を放出して該融雪槽内の融雪水を攪拌せしめる攪拌パイプを接続している。
攪拌パイプにより、常時、融雪槽内の水が攪拌されて水の対流を促進するので、融雪槽の底部の雪と水との熱交換効率が向上させられ、雪の融解効率が向上させられる。
【００２０】
更にまた、必要に応じ、上記水吸引ポンプを覆う隔壁を設け、該隔壁の上記融雪槽の底壁から所定高さ離れた位置に上記融雪水が通る連通孔を設けた構成としている。
融雪槽内には、雪とともに道路上のゴミなどの異物が投入され、雪の融解とともに融雪槽の底壁近傍に溜まったりするが、隔壁が設けられしかも融雪槽内の水は、連通孔から隔壁の内側に入り込むので、底壁近傍の異物が隔壁で遮られて隔壁の内側に入り込みにくくなり、異物がつまって水吸引ポンプが稼働できなくなる事態を防止することができる。
【００２１】
また、必要に応じ、一端が上記熱伝達体に接合され他端側が上記隔壁の内側に至るとともに上記熱伝達体の表面を流下する水を上記隔壁内に導く樋を設けている。
隔壁内に樋からの水が流れ込むので、水吸引ポンプで吸引される水は、少しでも温かいものとなる。これにより、融雪槽内の雪に放水される融雪水、あるいは、融雪槽内を攪拌する融雪水が多少温められるので、雪の融解効率の向上を期待できる。
【００２２】
また、必要に応じ、上記熱伝達体の下側に、上記融雪槽の底部に溜まった水に上記熱伝達体の熱を伝達する放熱板を設けた構成としている。
融雪槽内の水に、熱伝達体の熱が放熱板により熱伝達させられるので、温風加熱に比し融雪槽内の水が数十倍効率よく加温され、それだけ、融雪槽内の水に浸かった雪の融解効率を向上させることができる。
【００２３】
更にまた、必要に応じ、上記熱伝達体に上記バーナからの排気が排気される多数の排気口を設け、該排気口を、上記放熱フィンの直下に設けている。
これにより、熱伝達体上の雪は、排気口からのバーナの排気によっても融解させられる。この際、排気口が放熱フィンの直下に設けられ、融雪水が放熱フィンである程度遮られるので、融雪水が排気口から侵入しにくくなり、バーナによる熱伝達体の加熱に悪影響を与える事態が防止される。
【発明の効果】
【００２４】
本発明の融雪装置によれば、熱伝達体の外側に放熱フィンを複数設けたので、熱伝達体の表面積が大きくなり、雪への熱伝達効率の向上を図ることができる。
また、放熱フィンの受け面を傾斜させたので、融雪水は、受け面上に留まらないで受け面上を流れ、融雪水が気化する前に熱伝達体から離れ易くなることから、融雪水が気化する際にバーナから伝達された熱が潜熱として奪われにくくなり、雪の融解効率を向上させることができる。
【発明を実施するための最良の形態】
【００２５】
以下、添付図面に基づいて、本発明の実施の形態に係る融雪装置について詳細に説明する。
【００２６】
図１乃至図５に示すように、本発明の実施の形態に係る融雪装置Ｓは、道路等に積もった雪が投入され、投入された雪を加熱して融解するものであり、底壁１１及び底壁１１から立設される側壁１２を有し側壁１２により形成される開口１４から雪が投入され、融解された融雪水Ｗが貯留される融雪槽１０と、融雪槽１０の側壁１２に突設され融雪槽１０内の雪に熱を伝達して雪を融解する熱伝達体２０と、熱伝達体２０の内部に設けられ熱伝達体２０を加熱するバーナ５０とを備えている。
実施の形態においては、融雪槽１０の側壁１２は、相対向する２つの側面板１３を２組有した桝状に形成されている。熱伝達体２０及びバーナ５０は、１つの側面板１３（ａ）に突出形成されている。また、図２に示すように、熱伝達体２０の突出方向と平行な２つの側面板１３のうちいずれか一方の側面板１３（ｂ）は、雪を投入しやすくするために、他の側面板１３よりもその高さが低く形成されている。
また、融雪槽１０の底壁１１及び側壁１２は、金属製の内板１５と、断熱効果のある外板１６とからなる。外板１６は、例えば、主に建築用に用いられる木製のコンクリートパネルで構成されている。
【００２７】
また、融雪槽１０の側壁１２には、融雪槽１０の底壁１１から所定高さ離れた位置に、融雪水Ｗを排出する排水口１７が設けられている。排水口１７は、図４及び図５に示すように、熱伝達体２０の下端と略同位に設けられている。また、排水口１７には、可撓性の排水パイプ１８が接続されている。
融雪槽１０の底壁１１には、開閉可能に設けられ、融雪槽１０の底部に溜まった融雪水Ｗを融雪槽１０の外部に排出可能なドレーン１９が設けられている。
【００２８】
熱伝達体２０は、バーナ５０の上側を覆う金属製の上側板体２１と、バーナ５０の下側を覆う金属製の下側板体２２と、上側板体２１の熱伝達体２０の突出方向の先端２０ｂ側に下方に向けて延設される金属製の先端側板体２３とを備えて構成されている。
上側板体２１は、融雪槽１０の開口１４から投入された雪を受けうる頂部受面２４及び頂部受面２４の両側に下方に向けて拡開する側部受面２５を有して構成されている。上側板体２１の頂部受面２４は、熱伝達体２０の突出方向の基端２０ａから先端２０ｂに向けて降下するように傾斜形成されている。また、頂部受面２４は、横断面が頂部で屈折した線状になるように形成されている。
【００２９】
更に、上側板体２１の側部受面２５の外側には、熱伝達体２０の突出方向に沿って設けられ熱伝達体２０の外側を流下する融雪水Ｗを受けうる受け面３０ａを有した細長板状の放熱フィン３０が複数設けられている。放熱フィン３０は、金属により断面Ｌ字状に形成され、一方の片を側部受面２５に溶接固定し、他方の片に受け面３０ａを形成するようにしている。この放熱フィン３０は、各側部受面２５に３つずつ上下に並設されている。
更に、図１及び図２に示すように、熱伝達体２０の突出方向側部と融雪槽１０の側壁１２との間には、雪を受ける雪受板３５が架設されている。具体的には、上側板体２１の端縁と、側壁１２との間に雪受板３５を架設している。雪受板３５は、横断面弧状に形成され、熱伝達体２０の突出方向の基端２０ａから先端２０ｂに向けて傾斜させられている。
【００３０】
図４及び図５に示すように、下側板体２２は、その横断面が逆台形状に形成されている。下側板体２２の下即面には、融雪槽１０の底部に溜まった融雪水Ｗに下側板体２２の熱を伝達する複数の放熱板２６が設けられている。
【００３１】
先端側板体２３は、熱伝達体２０の突出方向の基端２０ａから先端２０ｂに向けて傾斜する先端側受面２７を有して構成されている。この先端側板体２３の先端側受面２７には、熱伝達体２０の外側を流下する融雪水Ｗを受けうる受け面３１ａを有した細長板状の先端側放熱フィン３１が設けられている。先端側放熱フィン３１は、放熱フィン３０と同様に、金属により断面Ｌ字状に形成され、一方の片を先端側受面２７に溶接固定し、他方の片に受け面３１ａを形成するようにしている。また、この先端側放熱フィン３１の受け面３１ａは、その受け面３１ａ上の融雪水Ｗが流下するように傾斜させられている。
【００３２】
更に、熱伝達体２０の側部には、雪受板３５の下側面に向けてバーナ５０からの排気を流出させる流出口２８が形成されている。上側板体２１及び下側板体２２の両側端間が離間しており、流出口２８は、この間に形成されている。また、雪受板３５には、流出口２８からの排気が通過する複数の通過口３６が形成されている。
【００３３】
また、熱伝達体２０には、バーナ５０からの排気が排気される多数の排気口４０が設けられている。排気口４０は、上側板体２１の側部受面２５，下側板体２２及び先端側板体２３の先端側受面２７の夫々に設けられている。そして、上側板体２１の側部受面２５と、先端側板体２３の先端側受面２７の排気口４０は、放熱フィン３０の直下に設けられている。また、下側板体２２の排気口４０は、上側板体２１，先端側板体２３の排気口４０よりも、設けられる密度が高くなっており、熱伝達体２０の下側に排気され易くなっている。
【００３４】
バーナ５０は、例えば、化石燃料を燃料（実施の形態では灯油）とし、細長筒状に形成され、その先端に火炎を噴出する火炎噴出口５１が設けられている。バーナ５０は、火炎噴出口５１が、熱伝達体２０の突出方向先端２０ｂ側であって上側に火炎を噴出するように、上側に向けて折曲形成されている。
また、バーナ５０の基端側は、融雪槽１０の側壁１２の側面板１３（ａ）を貫通し、バーナ５０に燃料等を送給する本体５２に接続されている。本体５２は、融雪槽１０の外部に設けられ、融雪槽１０の側壁１２の側面板１３（ａ）の外側に付設された台５３上に設けられている。また、本体５２の上部には、本体５２に接続されて本体５２に灯油を送給する燃料タンク５４が設けられている。
【００３５】
また、バーナ５０は、図４乃至図６に示すように、バーナ５０と熱伝達体２０との間に設けられた金属製の断面八角形状の筒体５５により覆われている。筒体５５には、その壁部に火炎が吹き出る多数の孔５６が形成されている。孔５６は、筒体５５の壁部全体に亘って均一に設けられている。また、筒体５５は、その両端に設けた金属製の支持板５７により上側板体２１及び下側板体２２に対して支持されている。孔５６は、熱伝達体２０の突出方向先端２０ｂ側の支持板５７にも設けられている。
また、バーナ５０の基端側において、支持板５７と融雪槽１０の側壁１２の側面板１３（ａ）との間には、バーナ５０からの熱が側面板１３（ａ）側に至るのを防ぐ金属製の障壁５８が設けられている。
【００３６】
また、図３及び図４に示すように、融雪槽１０内には、排水口１７よりも下側に溜まった水を吸引する水吸引ポンプ６０が設けられている。水吸引ポンプ６０は、熱伝達体２０の突出方向先端２０ｂ側であって、高さの高い隣り合う側面板１３の角側の底壁１１に載置されている。
そして、図１乃至図４に示すように、水吸引ポンプ６０には、融雪槽１０内に投入された雪に向けて融雪水Ｗを放水する放水口６２を有した放水パイプ６１が接続されている。放水パイプ６１は、融雪槽１０の１つの側面板１３（ｃ）に付設されている。放水パイプ６１の放水口６２は、放水パイプ６１に３つ設けられている。
また、水吸引ポンプ６０には、融雪槽１０内の融雪水Ｗ中に水吸引ポンプ６０から吸引した融雪水Ｗを放出して融雪槽１０内の融雪水Ｗを攪拌せしめる攪拌パイプ６３が接続されている。攪拌パイプ６３は、一端が放水パイプ６１に接続され、この放水パイプ６１を介して水吸引ポンプ６０に接続されている。また、攪拌パイプ６３は、その他端が、融雪水Ｗ中に沈められており、他端から放出された融雪水Ｗにより融雪槽１０の底部に溜まった融雪水Ｗを攪拌する。
【００３７】
また、図３及び図４に示すように、水吸引ポンプ６０を覆う隔壁６５が設けられている。この隔壁６５は、例えば、樹脂で形成されている。隔壁６５の融雪槽１０の底壁１１から所定高さ離れた位置には、融雪水Ｗが通る連通孔６６が設けられている。
更に、一端が上記熱伝達体２０に接合され他端側が隔壁６５の内側に至るとともに熱伝達体２０の表面を流下する水を隔壁６５内に導く樋６８が設けられている。樋６８は、先端側放熱フィン３１に連続して設けてよい。
【００３８】
また、図１，図２，図４及び図５に示すように、この融雪装置Ｓには、台５３の下部に車輪７０が備えられるとともに、熱伝達体２０の突出方向先端２０ｂ側の融雪槽１０の底壁１１にキャスター７１が設けられている。そのため、融雪装置Ｓ自体が移動可能になっている。図中、７３は、把手である。
【００３９】
従って、図１乃至図５に示すように、この融雪装置Ｓを用いて、道路等に積もった雪を融解するには、例えば、まず、予め、ドレーン１９を閉にしておき、水道等からの水を融雪槽１０内にある程度溜めておく。この状態で、水吸引ポンプ６０を作動させるとともに、バーナ５０に点火し、熱伝達体２０を加熱していく。
この際、バーナ５０は、筒体５５で覆われており、筒体５５に設けた孔５６から火炎がでていくので、熱伝達体２０に満遍なく火炎が行き渡るようになる。
【００４０】
そして、高さの低い融雪槽１０の側面板１３（ｂ）の上側から、融雪槽１０内に雪を投入していく。この際、側面板１３（ｂ）の高さが低いので、容易に雪を融雪槽１０に投入することができる。
融雪槽１０内に雪が投入されると、雪は、主に、熱伝達体２０の上部に載せられていく。
【００４１】
この際、融雪槽１０内においては、バーナ５０からの熱が熱伝達体２０を介し、融雪槽１０内の雪に伝達させられ雪が融解されていく。この場合、熱伝達体２０の外側に放熱フィン３０及び先端側放熱フィン３１が設けられているので、熱伝達体２０の表面積が大きくなり、雪への熱伝達効率の向上を図ることができる。
更に、水吸引ポンプ６０で、融雪槽１０の底部に溜まった融雪水Ｗが、放水パイプ６１により、融雪槽１０内に溜められた雪に上から放水されるので、この水と雪とが熱交換して雪が融解していく。
【００４２】
また、雪が側部受面２５においては、側部受面２５が下方にむけて拡開するように設けられているので、雪を留めながら熱伝達体２０及び放熱フィン３０で融解させることができる。更に、放熱フィン３０は、上下に並設されているので、熱伝達体２０の側部受面２５上の雪に均一に熱を伝達できるようになり、雪の融解効率を向上させることができる。
【００４３】
そして、頂部受面２４においては、頂部受面２４が熱伝達体２０の突出方向基端２０ａから先端２０ｂに向けて降下するように傾斜形成され、また、頂部受面２４は横断面が頂部で屈折した線状になるように形成されているので、頂部受面２４に接する融雪水Ｗは、頂部受面２４上を流れ易くなる。これにより、頂部受面２４上に留まらないで流れて、融雪水Ｗが気化する前に熱伝達体２０から融雪水Ｗが離れやすくなるので、融雪水Ｗが気化する際にバーナ５０から伝達された潜熱が奪われにくくなり、雪の融解効率を向上させることができる。
【００４４】
また、側部受面２５及び先端側受面２７においては、融雪水Ｗは放熱フィン３０及び先端側放熱フィン３１の受け面３０ａ，３１ａで受けられる。
この場合、放熱フィン３０の受け面３０ａは傾斜させられているので、放熱フィン３０の受け面３０ａ上の融雪水Ｗは、この受け面３０ａ上を流れて、熱伝達体２０から流れ落ちて融雪槽１０の底部に溜められる。また、先端側放熱フィン３１においても、その受け面３１ａが傾斜させられているので、先端側放熱フィン３１の受け面３１ａ上の融雪水Ｗは、この受け面３１ａ上を流れて熱伝達体２０から流れ落ちて融雪槽１０の底部に溜められる。
これにより、融雪水Ｗが、受け面３０ａ，３１ａ上に留まらないで受け面３０ａ，３１ａ上を流れて、融雪水Ｗが気化する前に熱伝達体２０から融雪水Ｗが離れやすくなるので、融雪水Ｗが気化する際にバーナ５０から伝達された潜熱が奪われにくくなり、雪の融解効率を向上させることができる。
【００４５】
また、熱伝達体２０上の雪は、排気口４０からのバーナ５０の排気によっても融解させられる。この際、排気口４０が放熱フィン３０の直下に設けられ、熱伝達体２０の表面を流下する融雪水Ｗが放熱フィン３０，先端側放熱フィン３１である程度遮られるので、融雪水Ｗが排気口４０を塞ぎにくくなり、バーナ５０による熱伝達体２０の加熱に悪影響を与える事態を防止できる。
【００４６】
更に、雪受板３５においては、側部受面２５から雪受板３５上に落下した雪や、融雪槽１０の開口１４から直接投入された雪の一部が受けられる。雪受板３５は、熱伝達体２０からの熱が伝達され、また、流出口２８からの排気が吹きかけられて、加温されているので、雪受板３５上の雪も融解されていく。この場合、雪受板３５は、熱伝達体２０の突出方向の基端２０ａから先端２０ｂに向けて傾斜しているので、融雪水Ｗは、雪受板３５上を流れて、気化する前に雪受板３５から融雪水Ｗが離れやすくなり、融雪水Ｗが気化する際にバーナ５０から伝達される潜熱が奪われにくくなり、雪の融解効率を向上させることができる。
更に、雪受板３５に開けられた通過口３６から排気が吹き出し、暖かい排気が雪に吹きかけられるので、この排気によって雪受板３５上の雪が加温される。そのため、雪の融解効率を向上させることができる。
【００４７】
更にまた、雪受板３５が設けられているので、雪受板３５の下側にバーナ５０からの排気がこもりやすくなる。そのため、バーナ５０からの排気を融雪槽１０内の加温に有効に利用することができる。
【００４８】
一方、雪受板３５上を滑り落ちたり、他端側板体２３から滑り落ちたりし、融雪槽１０の底部に落下した雪は、融雪槽１０の底部に溜まった融雪水Ｗに浸かったりして融雪する。
【００４９】
この場合、融雪槽１０に溜まった融雪水Ｗにおいては、攪拌パイプ６３から放出される融雪水Ｗにより攪拌されて融雪水Ｗの対流が生じさせられる。そのため、融雪槽１０の底部の雪と水との熱交換効率が向上させられ、雪の融解効率が向上させられる。更にまた、熱伝達体２０の熱が、放熱板２６により融雪槽１０内の融雪水Ｗと熱交換させられるので、融雪槽１０内の融雪水Ｗが加温され、それだけ、融雪槽１０内の融雪水Ｗに浸かった雪の融解効率を向上させることができる。
また、隔壁６５内に樋６８からの水が流れ込むので、水吸引ポンプ６０で吸引される水は、少しでも温かいものとなる。これにより、融雪槽１０内の雪に放水される水、あるいは、融雪槽１０内を攪拌する水が多少温められるので、雪の融解効率の向上を期待できる。
【００５０】
そして、融雪槽１０内に融雪水Ｗが多くなり、融雪槽１０内の底部の融雪水Ｗが一定量以上溜まると、自然に排水口１７から融雪槽１０の外部に流される。この融雪水Ｗを、道路等に散水して道路上の雪を融解させることもできる。
更にまた、融雪槽１０内には、雪とともに道路上のゴミなどの異物が投入されて、雪の融解とともに融雪槽１０の底壁１１近傍に溜まったりするが、隔壁６５が設けられしかも融雪槽１０内の融雪水Ｗは、連通孔６６から隔壁６５の内側に入り込むので、底壁１１近傍の異物が隔壁６５で遮られて隔壁６５の内側に入り込みにくくなり、異物がつまって水吸引ポンプ６０が稼働できなくなる事態を防止することができる。
【００５１】
そして、融雪作業を終える場合には、バーナ５０の火炎を消火する。そして、ドレーン１９を開にして融雪槽１０の底部に溜まった融雪水Ｗを異物とともに融雪槽１０の外部に排出する。融雪槽１０内の水が無くなると、融雪装置Ｓの移動が容易になる。
【図面の簡単な説明】
【００５２】
【図１】本発明の実施の形態に係る融雪装置を一部切り欠いて示す斜視図である。
【図２】本発明の実施の形態に係る融雪装置を示す斜視図である。
【図３】本発明の実施の形態に係る融雪装置を示す平面図である。
【図４】本発明の実施の形態に係る融雪装置を示す縦断面図である。
【図５】本発明の実施の形態に係る融雪装置を示す横斜視図である。
【図６】本発明の実施の形態に係る融雪装置の筒体を示す斜視図である。
【図７】従来の融雪装置の一例を示す図である。
【符号の説明】
【００５３】
Ｓ  融雪装置
Ｗ  水
１０  融雪槽
１１  底壁
１２  側壁
１３  側面板
１４  開口
１７  排水口
１９  ドレーン
２０  熱伝達体
２１  上側板体
２２  下側板体
２３  先端側板体
２４  頂部受面
２５  側部受面
２６  放熱板
２８  流出口
３０  放熱フィン
３０ａ  受け面
３１  先端側放熱フィン
３１ａ  受け面
３５  雪受板
３６  通過口
４０  排気口
５０  バーナ
６０  水吸引ポンプ
６１  放水パイプ
６２  放水口
６３  攪拌パイプ
６５  隔壁
６８  樋
【図１】
0004586165.tif 000002
【図２】
0004586165.tif 000003
【図３】
0004586165.tif 000004
【図４】
0004586165.tif 000005
【図５】
0004586165.tif 000006
【図６】
0004586165.tif 000007
【図７】
0004586165.tif 000008